(57)【要約】  計測結果を視認しやすく、手軽に計測することができる生体関連情報計測装置を提供する。  本発明は、筐体（１０）と、筐体（１０）に設けられ、被検体に対して光を送受する測定部（２０）と、筐体（１０）に設けられ、測定部（２０）で受けた光に応じた信号から生体関連情報を推定する演算部（３０）と、筐体（１０）に設けられ、演算部（３０）で推定した生体関連情報を表示するための表示情報を生成する表示情報生成部（４０）と、筐体（１０）に設けられ、表示情報を携帯端末（５００）へ送信する送信部（５０）と、を備えたことを特徴とする生体関連情報計測装置（１）である。
2018051541.tif 000002
【特許請求の範囲】
【請求項１】
筐体と、  前記筐体に設けられ、被検体に対して光を送受する測定部と、  前記筐体に設けられ、前記測定部で受けた前記光に応じた信号から生体関連情報を推定する演算部と、  前記筐体に設けられ、前記演算部で推定した前記生体関連情報を表示するための表示情報を生成する表示情報生成部と、  前記筐体に設けられ、前記表示情報を外部機器へ出力する出力部と、  を備えたことを特徴とする生体関連情報計測装置。
【請求項２】
前記外部機器に設けられた入出力コネクタと接続される第１接続端子をさらに備え、  前記第１接続端子を前記入出力コネクタに接続することで、前記筐体が前記外部機器へ装着されることを特徴とする請求項１記載の生体関連情報計測装置。
【請求項３】
前記表示情報が、前記第１接続端子を介して前記外部機器に供給されることを特徴とする請求項２記載の生体関連情報計測装置。
【請求項４】
前記第１接続端子を介して前記外部機器から電力を受けることを特徴とする請求項２または３記載の生体関連情報計測装置。
【請求項５】
前記外部機器に設けられた音声コネクタと接続される第２接続端子をさらに備え、  前記第２接続端子を前記音声コネクタに接続することで、前記筐体が前記外部機器へ装着されることを特徴とする請求項１〜４のいずれか１項に記載の生体関連情報計測装置。
【請求項６】
前記筐体を前記外部機器へ装着した状態で、前記筐体の前記外部機器側の面に凹部が設けられたことを特徴とする請求項２〜５のいずれか１項に記載の生体関連情報計測装置。
【請求項７】
前記筐体に電源が設けられたことを特徴とする請求項１〜６のいずれか１項に記載の生体関連情報計測装置。
【請求項８】
前記測定部は、  前記筐体上に配置され近赤外光を含む前記光を前記被検体に向けて発する発光部と、  前記筐体上に配置され前記被検体を経由した前記光を受光する受光部と、  を有することを特徴とする請求項１〜７のいずれか１項に記載の生体関連情報計測装置。
【発明の詳細な説明】
【技術分野】
【０００１】  本発明は、生体関連情報計測装置に関し、特に外部機器に計測結果を表示することができる生体関連情報計測装置に関する。
【背景技術】
【０００２】  特許文献１には、人体に装着して使用される脈拍センサが開示される。この脈派センサは、被検体の手首に当接される透明板の裏面側に配置された一対の発光素子および受光素子を有するセンサ部を備えている。発光素子から手首方向へ照射された近赤外光は手首の動脈を流れる赤血球により反射され、この反射光を受光素子で検出して被検体の脈波を検出する。
【先行技術文献】
【特許文献】
【０００３】
【特許文献１】特開２００４−２７５３０７号公報
【発明の概要】
【発明が解決しようとする課題】
【０００４】  人体に装着する装着型センサでは、計測結果を表示する表示部を設置しにくく、計測結果を確認しにくいという問題がある。また、生体関連情報を計測するための専用の機器では持ち運びし難く、日常において手軽に、かつ頻繁に計測することの妨げとなっている。【０００５】  本発明は、計測結果を視認しやすく、手軽に計測することができる生体関連情報計測装置を提供することを目的とする。
【課題を解決するための手段】
【０００６】  上記課題を解決するため、本発明の一態様は、筐体と、筐体に設けられ、被検体に対して光を送受する測定部と、筐体に設けられ、測定部で受けた光に応じた信号から生体関連情報を推定する演算部と、筐体に設けられ、演算部で推定した生体関連情報を表示するための表示情報を生成する表示情報生成部と、筐体に設けられ、表示情報を外部機器へ出力する出力と、を備えたことを特徴とする生体関連情報計測装置である。【０００７】  このような構成によれば、測定部で受けた光に応じた信号から生体関連の生体関連情報を推定し、その表示情報を生成して外部機器へ出力するため、生体関連情報計測装置では測定から生体関連情報の推定、表示情報の生成および送信まで行う。また、外部機器では送られた表示情報に基づき生体関連情報を表示する。これにより、生体関連情報計測装置で手軽に計測した結果を外部機器に表示させることができる。【０００８】  本発明の生体関連情報計測装置において、外部機器に設けられた入出力コネクタと接続される第１接続端子をさらに備え、第１接続端子を入出力コネクタに接続することで、筐体が外部機器へ装着されるようになっていてもよい。【０００９】  この場合に、前記表示情報が、前記第１接続端子を介して前記外部機器に供給される。  これにより、第１接続端子を入出力コネクタへ接続することによって、生体関連情報計測装置と外部機器との機械的な接続とともに、電気的な接続も行うことができる。【００１０】  本発明の生体関連情報計測装置において、第１接続端子を介して外部機器から電力を受けるようになっていてもよい。これにより、第１接続端子を介して外部機器から生体関連情報計測装置へ電力を供給することができる。【００１１】  本発明の生体関連情報計測装置において、外部機器に設けられた音声コネクタと接続される第２接続端子をさらに備え、第２接続端子を音声コネクタに接続することで、筐体が外部機器へ装着されるようになっていてもよい。これにより、第２接続端子を音声コネクタへ接続することによって、生体関連情報計測装置と外部機器との機械的な接続を行うことができる。また、第１接続端子を入出力コネクタに接続している場合には、第２接続端子と音声コネクタとの接続によって機械的な接続の補強を行うことができる。【００１２】  本発明の生体関連情報計測装置において、筐体を外部機器へ装着した状態で、筐体の外部機器側の面に凹部が設けられていてもよい。これにより、外部機器と筐体との間に凹部による隙間が設けられ、外部機器のスピーカーから出力される音を筐体によって遮らないようにすることができる。【００１３】  本発明の生体関連情報計測装置において、筐体に電源が設けられていてもよい。これにより、生体関連情報計測装置の各部の電力をこの電源で賄うことができる。【００１４】  本発明の生体関連情報計測装置において、測定部は、筐体上に配置され近赤外光を含む光を被検体に向けて発する発光部と、筐体上に配置され被検体を経由した光を受光する受光部と、を有していてもよい。これにより、被検体を経由した近赤外光を含む光の特性に応じた信号から生体関連情報を推定することができる。
【発明の効果】
【００１５】  本発明によれば、計測結果を視認しやすく、手軽に計測することができる生体関連情報計測装置を提供することが可能になる。
【図面の簡単な説明】
【００１６】
【図１】（ａ）および（ｂ）は、第１実施形態に係る生体関連情報計測装置を例示する模式図である。
【図２】生体関連情報計測装置の構成を例示するブロック図である。
【図３】（ａ）および（ｂ）は、第２実施形態に係る生体関連情報計測装置を例示する模式図である。
【図４】（ａ）および（ｂ）は、第３実施形態に係る生体関連情報計測装置を例示する模式図である。
【図５】第４実施形態に係る生体関連情報計測装置を例示する斜視図である。
【発明を実施するための形態】
【００１７】  以下、本発明の実施形態を図面に基づいて説明する。なお、以下の説明では、同一の部材には同一の符号を付し、一度説明した部材については適宜その説明を省略する。
【００１８】（第１実施形態）  図１（ａ）および（ｂ）は、第１実施形態に係る生体関連情報計測装置を例示する模式図である。図１（ａ）には生体関連情報計測装置１を外部機器に装着する前の斜視図が示され、図１（ｂ）には生体関連情報計測装置１を外部機器に装着した後の斜視図が示される。
【００１９】  図１（ａ）に示すように、本実施形態に係る生体関連情報計測装置１は、筐体１０と、測定部２０と、演算部３０と、表示情報生成部４０と、送信部（出力部）５０と、を備える。本実施形態に係る生体関連情報計測装置１は、外部機器の例である携帯端末（携帯電話やタブレット端末など）５００に取り付けて使用される。
【００２０】  筐体１０は外装ケースであって、例えば合成樹脂によって形成されている。測定部２０は、筐体１０の例えば表面に沿って取り付けられる。測定部２０は被検体に対して光を送受する部分である。本実施形態では、測定部２０は近赤外光を含む光を被検体に向けて発し、被検体を経由した光を受ける。測定部２０の詳細については後述する。
【００２１】  演算部３０、表示情報生成部４０および送信部５０は筐体１０内に設けられる。このうちの演算部３０は、測定部２０で受けた光に応じた信号から生体関連情報を推定する処理を行う。本実施形態において、生体関連情報としては血中ヘモグロビン変化（Ｈｂ変化量）、血中酸素比率変化（酸素度）、脈波および脈拍数の少なくともいずれかを含む。
【００２２】  表示情報生成部４０は、演算部３０で推定した生体関連情報を表示するための表示情報を生成する部分である。表示情報生成部４０は、例えばＣＳＶ（Comma Separated Values）形式による表示情報を生成する。これにより、携帯端末５００の機種に依存することなく生体関連情報を携帯端末５００で表示することができる。
【００２３】  送信部（出力部）５０は、表示情報生成部４０で生成した表示情報を携帯端末５００へ送信（出力）する処理を行う。送信部５０は、有線または無線によって表示情報を送信する。本実施形態では、生体関連情報計測装置１を携帯端末５００に直接接続するため、送信部５０は有線によって表示情報を携帯端末５００に送信する。
【００２４】  本実施形態に係る生体関連情報計測装置１では、筐体１０に第１接続端子６１および第２接続端子６２が設けられる。第１接続端子６１は、携帯端末５００の筐体５１０の端部に設けられた入出力コネクタ５４１に接続可能に設けられる。第１接続端子６１は凸端子で、入出力コネクタ５４１は、凹端子とすることができる。入出力コネクタ５４１の凹端子の形状は、第１接続端子６１の凸端子の形状に対応している。第１接続端子６１を入出力コネクタ５４１に差し込むことで、生体関連情報計測装置１と携帯端末５００との機械的な接続とともに、電気的な接続を行うことができる。送信部５０は、表示情報を第１接続端子６１から入出力コネクタ５４１を介して携帯端末５００へ送ることができる。また、第１接続端子６１を介して携帯端末５００から生体関連情報計測装置１へ電力を供給してもよい。
【００２５】  第２接続端子６２は、携帯端末５００の筐体５１０の端部に設けられた音声コネクタ５４２に接続可能に設けられる。第２接続端子６２は凸端子で、音声コネクタ５４２は、凹端子とすることができる。音声コネクタ５４２の凹端子の形状は、第２接続端子６２の凸端子の形状に対応している。第２接続端子６２を音声コネクタ５４２に差し込むことで、生体関連情報計測装置１と携帯端末５００との機械的な接続を行うことができる。また、第１接続端子６１を入出力コネクタ５４１に接続している場合には、第２接続端子６２を音声コネクタ５４２に接続することで機械的な接続の補強を行うことができる。なお、第２接続端子６２を介して生体関連情報計測装置１と携帯端末５００との間で情報の入出力を行ってもよい。
【００２６】  筐体１０における携帯端末５００側の面には凹部１０１が設けられている。携帯端末５００の筐体５１０の端部にはスピーカー用の穴５５０が設けられている。このため、生体関連情報計測装置１を携帯端末５００に装着すると、筐体１０でスピーカー用の穴５５０を塞いでしまう可能性がある。そこで、筐体１０に凹部１０１を設けておくことにより、生体関連情報計測装置１を携帯端末５００に装着しても、スピーカー用の穴５５０を塞ぐことがなくなる。携帯端末５００のスピーカーから出力される音は、筐体１０との間に凹部１０１による隙間から外部へ出力されることになる。
【００２７】（生体関連情報計測装置の構成）  図２は、生体関連情報計測装置の構成を例示するブロック図である。  図２に示すように、測定部２０は、発光部２１と、受光部２２とを有する。制御部１１０内には、演算部３０および表示情報生成部４０が構成される。
【００２８】  発光部２１には、１つまたは複数の発光素子が設けられる。発光素子は近赤外光を発する発光ダイオード素子やレーザ素子などである。発光部２１に複数の発光素子が設けられる場合には、複数の発光素子の各発光波長が同じであってもよいし、異なっていてもよい。発光部２１が３つ以上の発光素子を有する場合には、２つ以上の発光素子が第１の発光波長を有し、残りの発光素子が第１の発光波長と異なる第２の発光波長を有することが好ましい。受光部２２は、発光部２１から照射され被検体を経由した近赤外光を受けて信号（受光信号）に変換する受光素子を有する。受光素子は、フォトディテクタやフォトダイオードである。
【００２９】  図１と図２に示す実施の形態は、測定部２０が、２つの発光部２１と、２つの発光部２１の間に位置する受光部２２とで構成されている。両側に設けられた受光部２１は、それぞれ第１の発光波長を有する第１発光素子２１ａ１と、第２の発光波長を有する第２発光素子２１ｂ２を備えている。２対で合計４つの発光素子２１ａ１，２１ａ２，２１ａ１，２１ａ２はモジュール化されて受発光部２５が構成されている。
【００３０】  それぞれの発光部２１には、発光素子２１ａ１，２１ａ２を駆動する２波長駆動用のドライブ回路２１ｂが設けられている。また、受光部２２は、受光素子２２ａが出力する受光信号を増幅する増幅回路２２ｂが設けられている。これらの回路はチップ化されていてもよい。
【００３１】  制御部１１０は、マイクロコンピュータで構成されている。制御部１１０は、発光部２１のドライブ回路２１ｂにタイミング信号を送信して、それぞれの発光素子２１ａ１、２１ａ２から異なる波長の近赤外光を発するように制御する。また、制御部１１０は、内蔵のアナログ−デジタル変換回路を用いて、受光部２２の増幅回路２２ｂから出力された増幅後の受光信号を処理可能なデジタル形式の信号情報に変換する。
【００３２】  演算部３０は、デジタル形式に変換された信号情報に基づいて、血中ヘモグロビン変化（Ｈｂ変化量）、血中酸素比率変化（酸素度）、脈波および脈拍数の各生体関連情報の少なくともいずれかを推定する。表示情報生成部４０は、演算部３０で推定した生体関連情報を表示するための表示情報を生成する。
【００３３】  記憶部１２０は、演算部３０で推定した生体関連情報を記憶する。生体関連情報は、時系列で記憶部１２０に記憶される。
【００３４】  送信部５０は、表示情報生成部４０で生成した表示情報を有線または無線によって外部機器へ送信する。有線の場合、送信部５０は、表示情報を第１接続端子６１を介して外部機器へ送信する。また、無線の場合、送信部５０は、表示情報を、例えば、Ｂｌｕｅｔｏｏｔｈ（登録商標）などの無線通信規格を用いた通信により外部機器へ送信する。
【００３５】  記憶部１２０が設けられることで、演算部３０によって推定して得た各生体関連情報を時系列で記憶することができる。また、この表示情報を送信部５０から外部機器へ送信することで、外部機器で各生体関連情報の表示を行い、被検体の生体関連情報を見やすく表示させることができる。
【００３６】（使用例）  本実施形態に係る生体関連情報計測装置１を使用するには、図１（ｂ）に示すように、生体関連情報計測装置１を携帯端末５００に装着する。生体関連情報計測装置１を装着したタイミングで生体関連情報計測装置１を計測モードに切り換えてもよい。また、生体関連情報計測装置１を装着したタイミングで、携帯端末５００の画面５２０の表示を自動的に計測用の画像に切り換えるようにしてもよい。
【００３７】  次に、生体関連情報計測装置１の測定部２０の上に被検体である指Ｆを載置する。そして、携帯端末５００のボタン５３０を押下したタイミングで計測を開始する。なお、測定部２０に押圧スイッチ（図示せず）を設けておき、指Ｆを載置した際の押圧力で押圧スイッチを動作させ、このタイミングで計測を開始するようにしてもよい。計測の開始によって発光部２１から近赤外光を含む光が放出される。そして、発光部２１から照射され指Ｆを経由した近赤外光を受光部２２で受けて信号（受光信号）に変換する。
【００３８】  そして、演算部３０によって血中ヘモグロビン変化（Ｈｂ変化量）、血中酸素比率変化（酸素度）、脈波および脈拍数の各生体関連情報の少なくともいずれかを推定し、表示情報生成部４０によって生体関連情報を表示するための表示情報を生成する。
【００３９】  表示情報は、送信部５０から携帯端末５００へ送信される。携帯端末５００は送信部５０から送られた表示情報を受けて、画面５２０に表示する。携帯端末５００は表示情報を受けて画面５２０に表示させる処理のみを行うため、携帯端末５００に大きな負荷は掛からない。携帯端末５００には表示情報を画面５２０に表示させるアプリケーションソフトウェアをインストールしておくだけで良い。
【００４０】  これにより、生体関連情報計測装置１で計測および推定した生体関連情報が携帯端末５００の画面５２０に表示される。
【００４１】  本実施形態に係る生体関連情報計測装置１では、生体関連情報の計測および推定を行う構成を筐体１０に内蔵して、携帯端末５００とは別体で設けている。したがって、携帯端末５００に特別な機能を組み込むことなく、生体関連情報を計測および推定するための機能を後から追加することができる。
【００４２】  通常は生体関連情報計測装置１を装着せず携帯端末５００を使用し、生体関連情報を計測したい場合に生体関連情報計測装置１を携帯端末５００に装着する。これにより、生体関連情報を手軽に計測することができる。また、携帯端末５００の画面５２０を生体関連情報の表示部として利用することができ、計測結果の視認性を高めることができる。
【００４３】  本実施形態に係る生体関連情報計測装置１は携帯端末５００に装着できる程度に小型化されているため、持ち運びに邪魔になることはない。また、携帯端末５００の入出力コネクタ５４１に差し込むだけで装着でき、複雑な操作を必要とせず、必要なときに容易に計測を行うことができる。
【００４４】  なお、図１に示す例では、測定部２０において２つの発光部２１と受光部２２を横向き並べているが、縦向きに並べてもよい。２つの発光部２１と受光部２２を縦向きに並べることで、計測の際に指Ｆの長手方向に２つの発光部２１と受光部２２が並ぶことになり、指Ｆの太さに影響を受けずに計測できることになる。また、筐体１０において、測定部２０を、携帯端末５００の画面５２０の向きと逆側（図１の図示の裏面側）に配置してもよい。この構成では、測定部２０を身体の肌に当てた状態で、画面５２０を目視できるようになる。
【００４５】  また、本実施形態に係る生体関連情報計測装置１において、筐体１０に電源（ボタン電池、充電池、太陽電池など）が設けられていてもよい。これにより、生体関連情報計測装置１の各部の電力をこの電源で賄うことができ、携帯端末５００にかかる電力の負荷を軽減することができる。
【００４６】（第２実施形態）  図３（ａ）および（ｂ）は、第２実施形態に係る生体関連情報計測装置を例示する模式図である。図３（ａ）には生体関連情報計測装置１Ｂを外部機器に装着した状態の斜視図が示され、図３（ｂ）には生体関連情報計測装置１Ｂによる計測の状態を示す斜視図が示される。
【００４７】  図３（ａ）に示すように、本実施形態に係る生体関連情報計測装置１Ｂは、測定部２０、演算部３０、表示情報生成部４０および送信部（出力部）５０を内蔵した筐体１０を、携帯端末５００の筐体５１０に貼り付けて使用される。このため、筐体１０は薄型に設けられている。本実施形態では、携帯端末５００の筐体５１０の裏面（画面５２０とは反対側の面）に生体関連情報計測装置１Ｂが貼り付けられている。生体関連情報計測装置１Ｂから携帯端末５００へは送信部５０から無線通信によって表示情報が送信される。
【００４８】  図３（ｂ）に示すように、生体関連情報計測装置１Ｂが貼り付けられた携帯端末５００を手Ｈで持つと、携帯端末５００の筐体５１０の裏面が掌Ｐに当たる。この掌Ｐと当たる筐体５１０の位置に測定部２０が設けられるように生体関連情報計測装置１Ｂを貼り付けておく。
【００４９】  生体関連情報計測装置１Ｂを使用するには、携帯端末５００を手Ｈで持った状態で例えばボタン５３０を指Ｆで押下する。このボタン５３０を押下したタイミングで計測が開始される。なお、測定部２０に押圧スイッチ（図示せず）を設けておいてもよい。携帯端末５００の筐体５１０の上から測定部２０の位置を押すことで、掌Ｐと筐体５１０との間で測定部２０が挟まれ、挟んだ際の押圧力で押圧スイッチを動作させる。そして、押圧スイッチが動作したタイミングで計測を開始する。押圧スイッチを動作させるための押圧力で掌Ｐが測定部２０に密着するため、精度の高い測定を行うことができる。
【００５０】  計測の開始によって発光部２１から近赤外光を含む光が放出される。そして、発光部２１から照射され掌Ｐを経由した近赤外光を受光部２２で受けて信号（受光信号）に変換する。そして、演算部３０によって血中ヘモグロビン変化（Ｈｂ変化量）、血中酸素比率変化（酸素度）、脈波および脈拍数の各生体関連情報の少なくともいずれかを推定し、表示情報生成部４０によって生体関連情報を表示するための表示情報を生成する。
【００５１】  表示情報は送信部５０から携帯端末５００へ無線通信によって送信される。携帯端末５００は送信部５０から送られた表示情報を受信して、画面５２０に表示する。
【００５２】  本実施形態のように生体関連情報計測装置１Ｂを携帯端末５００の筐体５１０に貼り付けるだけで生体関連情報を計測および推定するための機能を後から追加することができる。これにより、生体関連情報を手軽に計測することができる。また、計測および推定した生体関連情報は携帯端末５００の画面５２０に表示されるため、計測結果を視認しやすくなる。
【００５３】  なお、本実施形態に係る生体関連情報計測装置１Ｂでは、筐体１０に電源が設けられていることが好ましい。これにより、携帯端末５００の電源とは独立して生体関連情報計測装置１Ｂを動作させることができる。また、生体関連情報計測装置１Ｂは、携帯端末５００の筐体５１０以外の場所に貼り付けることもできる。送信部５０による無線通信の範囲内であれば、携帯端末５００から離れた所望の位置に生体関連情報計測装置１Ｂを貼り付けてもよい。
【００５４】  前記実施の形態では、筐体１０が携帯端末５００の筐体５１０に貼り付けられているが、携帯端末５００を収納する別体の保護ケースまたは化粧ケースの背面に筐体１０が取り付けられていてもよい。
【００５５】（第３実施形態）  図４（ａ）および（ｂ）は、第３実施形態に係る生体関連情報計測装置を例示する模式図である。図４（ａ）には生体関連情報計測装置１Ｃを外部機器に設けた状態の斜視図が示され、図４（ｂ）には生体関連情報計測装置１Ｃによる計測の状態を示す斜視図が示される。
【００５６】  図４（ａ）に示すように、本実施形態に係る生体関連情報計測装置１Ｃでは、携帯端末５００の筐体５１０の側面に測定部２０が設けられている。生体関連情報計測装置１Ｃでは、携帯端末５００の筐体５１０を生体関連情報計測装置１Ｃの筐体１０と兼用してもよいし、第２実施形態に係る生体関連情報計測装置１Ｂのように携帯端末５００の筐体５１０の裏面に筐体１０を貼り付けて測定部２０のみを延出させ、筐体５１０の側面に設けるようにしてもよい。
【００５７】  図４（ｂ）に示すように、生体関連情報計測装置１Ｃが設けられた携帯端末５００を手Ｈで持つと、手Ｈの指Ｆが筐体５１０の側面に当たる。この指Ｆと当たる筐体５１０の側面の位置に測定部２０が設けられるようにしておく。
【００５８】  生体関連情報計測装置１Ｃを使用するには、携帯端末５００を手Ｈで持った状態で例えばボタン５３０を指Ｆで押下する。このボタン５３０を押下したタイミングで計測が開始される。なお、測定部２０に押圧スイッチ（図示せず）を設けておいてもよい。携帯端末５００の筐体５１０を握ることで指Ｆによって測定部２０を押し、押圧スイッチを動作させる。そして、押圧スイッチが動作したタイミングで計測を開始する。押圧スイッチを動作させるための押圧力で指Ｆが測定部２０に密着するため、精度の高い測定を行うことができる。
【００５９】  計測の開始によって発光部２１から近赤外光を含む光が放出される。そして、発光部２１から照射され指Ｆを経由した近赤外光を受光部２２で受けて信号（受光信号）に変換する。そして、演算部３０によって血中ヘモグロビン変化（Ｈｂ変化量）、血中酸素比率変化（酸素度）、脈波および脈拍数の各生体関連情報の少なくともいずれかを推定し、表示情報生成部４０によって生体関連情報を表示するための表示情報を生成する。
【００６０】  表示情報は送信部５０から携帯端末５００へ無線通信によって送信される。携帯端末５００は送信部５０から送られた表示情報を受信して、画面５２０に表示する。
【００６１】  本実施形態のように生体関連情報計測装置１Ｃの測定部２０を携帯端末５００の筐体５１０に側面に位置するよう設けることで、携帯端末５００を手Ｈで握るだけで生体関連情報を手軽に計測することができる。また、計測および推定した生体関連情報は携帯端末５００の画面５２０に表示されるため、計測結果を視認しやすくなる。
【００６２】（第４実施形態）  図５は、第４実施形態に係る生体関連情報計測装置を例示する斜視図である。  図５に示すように、本実施形態に係る生体関連情報計測装置１Ｄは、外部機器の例である携帯端末５００のボタン５３０に組み込まれている。ボタン５３０の表面には測定部２０が露出している。
【００６３】  測定部２０には図示しない押圧スイッチが設けられている。押圧スイッチを動作させない程度の押圧力でボタン５３０を押した場合には、生体関連情報の計測動作は開始されず、携帯端末５００の通常のボタン操作となる。一方、押圧スイッチを動作させる押圧力でボタン５３０を押した場合には、押圧スイッチの動作によって生体関連情報の計測動作が開示される。
【００６４】  生体関連情報の計測が開始されると、ボタン５３０を押した指Ｆに向けて発光部２１から近赤外光を含む光が放出される。そして、発光部２１から照射され指Ｆを経由した近赤外光を受光部２２で受けて信号（受光信号）に変換する。そして、演算部３０によって血中ヘモグロビン変化（Ｈｂ変化量）、血中酸素比率変化（酸素度）、脈波および脈拍数の各生体関連情報の少なくともいずれかを推定し、表示情報生成部４０によって生体関連情報を表示するための表示情報を生成する。
【００６５】  表示情報は送信部５０から携帯端末５００へ有線または無線によって送信される。携帯端末５００は送信部５０から送られた表示情報を受信して、画面５２０に表示する。
【００６６】  本実施形態のように生体関連情報計測装置１Ｄの測定部２０を携帯端末５００のボタン５３０に組み込むことで、携帯端末５００のボタン５３０を指Ｆで押すだけで生体関連情報を手軽に計測することができる。また、計測および推定した生体関連情報は携帯端末５００の画面５２０に表示されるため、計測結果を視認しやすくなる。
【００６７】  以上説明したように、実施形態によれば、計測結果を視認しやすく、手軽に計測することができる生体関連情報計測装置１、１Ｂ、１Ｃおよび１Ｄを提供することが可能になる。
【００６８】  なお、上記に本実施形態を説明したが、本発明はこれらの例に限定されるものではない。例えば、外部機器として携帯端末５００を例としたが、携帯端末５００以外であってもよい。例えば、パーソナルコンピュータ、卓上計算機、テレビ受像機、その他の家庭用電子機器、または体重計、対組成計、睡眠計などの各種健康用電子器具など、ディスプレイを持った機器であれば適用可能である。
【００６９】  また、実施の形態では、測定部２０に発光部２１と受光部２２が並んで配置されて、生体からの反射光を受光するものであるが、測定部として、発光部２１と受光部２２とが対向しており、その対向部に指などを差し込む、生体透過式であってもよい。
【００７０】  なお、前述の各実施形態に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７１】１，１Ｂ，１Ｃ，１Ｄ…生体関連情報計測装置１０…筐体２０…測定部２１…発光部２１ａ１…第１発光素子２１ａ２…第２発光素子２１ｂ…ドライブ回路２２…受光部２２ａ…受光素子２２ｂ…増幅回路２５…受発光部３０…演算部４０…表示情報生成部５０…送信部６１…第１接続端子６２…第２接続端子１０１…凹部１１０…制御部１２０…記憶部５００…携帯端末５１０…筐体５２０…画面５３０…ボタン５４１…入出力コネクタ５４２…音声コネクタ５５０…穴Ｆ…指Ｈ…手Ｐ…掌
【図１】
2018051541.tif 000003
【図２】
2018051541.tif 000004
【図３】
2018051541.tif 000005
【図４】
2018051541.tif 000006
【図５】
2018051541.tif 000007
【国際調査報告】
2018051541.tif 000008
2018051541.tif 000009
2018051541.tif 000010
2018051541.tif 000011